(57)【要約】      （修正有）【課題】バルコニーの床を構成する傾斜床面や排水溝等を簡単な作業で形成でき、防水性に優れ、また施工性や施工コスト面で優れたバルコニーの床構造を提供する。【解決手段】バルコニーの奥行き方向の前方に向かうに従って下り傾斜を付けた傾斜床面１２ａからなり全体が平面視矩形状を呈する主床部１２と、その奥行き方向の前端縁であって該主床部の一側縁寄りの部分に形成され排水穴１４ａを有する排水部１４と、主床部の奥行き方向の前端縁に左右方向に延在して形成され排水部に向かって傾斜する案内面１６ａを有する排水案内部１６とを備える。主床部を構成する傾斜床面と排水案内部を構成する案内面は、防水シートで覆われる。排水案内部の案内面は、主床部側の側縁部分が主床部側の傾斜床面と同一の高さをもって形成されるとともに、バルコニーの奥行き方向の前方および前記排水部に向かって下り傾斜を付けた二方向からの傾斜面として形成される。【選択図】図３
2005290821.tif 000002
【特許請求の範囲】
【請求項１】
バルコニーの奥行き方向の前方に向かうに従って下り傾斜を付けた傾斜床面からなり全体が平面視矩形状を呈する主床部と、
この主床部の奥行き方向の前端縁であって該主床部の一側縁寄りの部分に形成され排水穴を有する排水部と、
前記主床部の奥行き方向の前端縁に左右方向に延在して形成され前記排水部に向かって傾斜する案内面を有する排水案内部と、
前記主床部を構成する傾斜床面および前記排水案内部を構成する案内面を覆うように形成される防水シートとを備え、
前記排水案内部の案内面は、主床部側の側縁部分が主床部側の傾斜床面と同一の高さをもって形成されるとともに、バルコニーの奥行き方向の前方および前記排水部に向かって下り傾斜を付けた二方向からの傾斜面として形成されていることを特徴とするバルコニーの床構造。
【請求項２】
請求項１記載のバルコニーの床構造において、
前記排水部は、前記主床部の奥行き方向の前端縁であって該主床部の一側縁部分を逃げて形成され、
前記排水案内部は、前記主床部の奥行き方向の前端縁部分であって前記排水部の両側にそれぞれ形成されていることを特徴とするバルコニーの床構造。
【請求項３】
請求項１または請求項２記載のバルコニーの床構造において、
前記主床部と前記排水案内部とは合板材によって形成されていることを特徴とするバルコニーの床構造。
【請求項４】
請求項１または請求項２記載のバルコニーの床構造において、
前記排水部は、排水穴を形成する部材の組立体として構成されていることを特徴とするバルコニーの床構造。
【請求項５】
請求項１または請求項２記載のバルコニーの床構造において、
前記排水案内部の案内面を形成する案内板は、バルコニーの奥行き方向の前端部がくさび状を呈する支持材で支持されていることを特徴とするバルコニーの床構造。
【請求項６】
請求項１ないし請求項５のいずれか１項に記載のバルコニーの床構造において、
前記排水案内部の案内面上には、バルコニーの奥行き方向の前端部に設けた受け材を介して床仕上げ材が設けられることを特徴とするバルコニーの床構造。
【発明の詳細な説明】
【技術分野】
【０００１】
本発明は、住宅等の建築物におけるバルコニーの床構造に関する。
【背景技術】
【０００２】
住宅等の建築物は、施工現場の環境や施工主の要望などに基づき、様々なデザインの実用的な設備を備えている。その一つとして、たとえばマンション等の建物の躯体の外側にベランダやバルコニー（以下、バルコニーという）を張り出させて設けてなる構造をもつ住宅が知られている。
【０００３】
一般に、バルコニーの床は、奥行き方向の前方に向けて下り傾斜を付けて形成されるとともに、その下り傾斜の前端部分に左右方向に沿って排水溝を設け、その溝の一部に排水孔を設けた構造とされている。このようなバルコニーの床において傾斜した床面や凹溝状の排水溝は、通常モルタルで形成されていた。
【０００４】
しかし、このようにモルタルでバルコニーの床を形成するには、床面に傾斜を付けるために熟練した作業員による作業が必要であり、しかもその作業に多くの手間と時間がかかり、複雑な施工となって施工コストが増大するという問題があった。
【０００５】
このような問題を解消するために、バルコニーの底部において奥行き方向に延在して設けた一対の床梁の上に、互いに平行して配置した一対の受け板を設け、さらにこれらの受け板の間に、奥行き方向の前方に向かうに従い下り傾斜を付けた上面を有する複数の勾配調整部材を掛け渡して設け、これらの勾配調整部材の上面に複数の床面材を順次固定することにより、バルコニーの底部に、バルコニーの奥行き方向の前方に向かうに従い下り傾斜を付けた傾斜床面を形成したバルコニーの床構造が既に提案されている（例えば、特許文献１参照）。
【０００６】
このような構造によれば、バルコニーの床構造において、床面の傾斜を簡単に付けることができ、施工コストの低減を図ることができるのである。
【０００７】
【特許文献１】特開２００２−７０１５１
【発明の開示】
【発明が解決しようとする課題】
【０００８】
しかしながら、上述した従来の床構造では、バルコニーの床においての防水性を得るために、床面材を矩形状のセメント板などで構成し、また配置した各セメント板の隣接する端部どうしの隙間にシーリング剤等の目地剤を埋め込んで設ける必要があり、その作業が面倒であった。
【０００９】
さらに、上述した従来の床構造では、バルコニーの床において、傾斜床面の前端部に排水溝を形成するために、チャネル材を設けるとともに、そのチャネル材内の溝底を左右方向に傾斜を付け、最下部に相当する部位に排水孔を設けた構造が採用されているが、チャネル材を用いたり、その溝底に傾斜を付けたり、排水孔を形成したりする等、構造が複雑であり、複雑な施工となって施工コストが嵩むといった問題があった。
また、このような構造では、バルコニーの床の前方側に凹溝状の排水溝が存在していることから、外観上での見栄えが悪いといった問題もあった。
【００１０】
本発明はこのような事情に鑑みてなされたものであり、傾斜床面や排水溝等によって構成されるバルコニーの床を、きわめて簡単な作業によって形成することができ、防水性に優れ、また施工性、さらには施工コスト面で優れているバルコニーの床構造を得ることを目的とする。
【課題を解決するための手段】
【００１１】
このような目的に応えるために本発明（請求項１記載の発明）に係るバルコニーの床構造は、バルコニーの奥行き方向の前方に向かうに従って下り傾斜を付けた傾斜床面からなり全体が平面視矩形状を呈する主床部と、この主床部の奥行き方向の前端縁であって該主床部の一側縁寄りの部分に形成され排水穴を有する排水部と、前記主床部の奥行き方向の前端縁に左右方向に延在して形成され前記排水部に向かって傾斜する案内面を有する排水案内部と、前記主床部を構成する傾斜床面および前記排水案内部を構成する案内面を覆うように形成される防水シートとを備え、前記排水案内部の案内面は、主床部側の側縁部分が主床部側の傾斜床面と同一の高さをもって形成されるとともに、バルコニーの奥行き方向の前方および前記排水部に向かって下り傾斜を付けた二方向からの傾斜面として形成されていることを特徴とする。
【００１２】
本発明によれば、傾斜床面や排水溝等によって構成されるバルコニーの床を、きわめて簡単な作業によって形成することができ、また防水シートを主床部の傾斜床面から排水案内部の案内面に至るまできわめて簡単に施工でき、防水性に優れており、施工性、さらには施工コスト面で優れたバルコニーの床構造を得ることができるのである。特に、本発明によれば、防水シートを設けるバルコニーの床が、殆どすべて傾斜した床面で形成されており、このような床面に対して防水シートを敷くことで施工できるから、従来ように排水案内部が凹溝形状である場合に比べて折曲げる部分が少なく、施工がきわめて簡単にしかも確実に行える。
【００１３】
本発明（請求項２記載の発明）に係るバルコニーの床構造は、請求項１記載のバルコニーの床構造を具体的に限定したものであって、前記排水部は、前記主床部の奥行き方向の前端縁であって該主床部の一側縁部分を逃げて形成され、前記排水案内部は、前記主床部の奥行き方向の前端縁部分であって前記排水部の両側にそれぞれ形成されていることを特徴とする。
このような本発明によれば、排水性に優れたバルコニーの床構造を得ることができる。特に、排水部を、主床部の一側縁部分を逃げて形成しているから、主床部の傾斜床面をつたわって流れてくる排水を、排水部の両側にある排水案内部の案内面により効率よく排水することができ、排水性が向上する。さらに、排水部を、主床部の一側縁部分、すなわちバルコニーの隅に設けると、防水シートの施工にあたって折曲部分が集中し、また隅の部分が目視しくい作業となることから、施工性の面で問題を生じるが、この隅部を逃げることで、このような不具合もなくなる。
【００１４】
本発明（請求項３記載の発明）に係るバルコニーの床構造は、請求項１または請求項２記載のバルコニーの床構造を具体的に限定したものであって、前記主床部と前記排水案内部とは合板材によって形成されていることを特徴とする。
このような本発明によれば、主床部や排水案内部を構成する下地材が合板材によって形成されることから、その施工作業が簡単で、しかも施工コストの低減を図ることができる。
【００１５】
本発明（請求項４記載の発明）に係るバルコニーの床構造は、請求項１または請求項２記載のバルコニーの床構造を具体的に限定したものであって、前記排水部は、排水穴を形成する部材の組立体として構成されていることを特徴とする。
このような本発明によれば、排水部の形成が簡単になり、施工性、施工コスト面で優れた構造を得ることができる。
【００１６】
本発明（請求項５記載の発明）に係るバルコニーの床構造は、請求項１または請求項２記載のバルコニーの床構造を具体的に限定したものであって、前記排水案内部の案内面を形成する案内板は、バルコニーの奥行き方向の前端部がくさび状を呈する支持材で支持されていることを特徴とする。
このような本発明によれば、二方向に傾斜する傾斜案内面をきわめて簡単に形成することができるのである。
【００１７】
本発明（請求項６記載の発明）に係るバルコニーの床構造は、請求項１ないし請求項５のいずれか１項に記載のバルコニーの床構造を具体的に限定したものであって、前記排水案内部の案内面上には、バルコニーの奥行き方向の前端部に設けた受け材を介して床仕上げ材が設けられることを特徴とする。
このような本発明によれば、排水部に至る排水溝を簡単に形成できるとともに、外観上での床仕上げ材により覆われた構造とすることができ、見栄えのよいバルコニーの床構造を提供することができる。
【発明の効果】
【００１８】
以上説明したように本発明に係るバルコニーの床構造によれば、バルコニーの床を構成する主床部の傾斜床面や排水部に排水を導く排水案内部の案内面をきわめて簡単に形成することができ、しかもこれらを防水シートで覆うことにより簡単に防水することができ、その施工も簡単に行えるから、防水性の面でも優れ、施工性、さらには施工コスト面で優れたバルコニーの床構造を得ることができる。特に、本発明によれば、主床部の傾斜床面や排水案内部の案内面等といった床面の傾斜で、床面自体にとい機能を持たせているから、排水性に優れているといった利点もある。
【発明を実施するための最良の形態】
【００１９】
図１ないし図５は本発明に係るバルコニーの床構造の一実施の形態を示す。
これらの図において、符号１０で示すバルコニーの床は、図２および図３に示すように、バルコニーの奥行き方向（図２の左右方向、図３の上下方向）の前方（図２の左側、図３の下側）に向かうに従って下り傾斜を付けた傾斜床面１２ａからなり全体が平面視矩形状を呈する主床部１２を備えている。
【００２０】
また、この主床部１２の奥行き方向の前端縁であって該主床部１２の一側縁寄りの部分（図３中左寄りの部分）には、図３に示すように、排水穴１４ａを有する排水部１４が一側縁側の端部を逃げた状態で設けられ、この排水部１４の両側には、主床部１２の奥行き方向の前端縁に左右方向に延在して形成され該排水部１４に向かって傾斜する案内面１６ａ，１７ａを有する排水案内部１６，１７が形成されている。このように排水部１４を、主床部１２の一側縁部分を逃げて形成し、その両側に排水案内部１６，１７を形成しているから、主床部１２の傾斜床面１２ａをつたわって流れてくる排水を、排水部１４の両側にある排水案内部１６，１７の案内面１６ａ，１７ａにより適切から確実に排水孔１４ａに導いて、効率よく排水することができ、排水性が向上する。
【００２１】
ここで、図中２１は図示を省略した建築物本体側の壁部で、この壁部２１側からバルコニーベース部２２がほぼ水平に延在して設けられている。このベース部２２の上方には受け板２３，２４が配設され、その上部に合板材からなる主床板２５が並設して固定されている。なお、上記の支持材２３，２４は、図２に示すように、上下方向に位置をずらして配設され、主床板２５を、図中左側への下向き勾配をもって傾斜するように構成されている。勿論、主床板２５は、支持材２３，２４以外にも適宜の箇所に設けられた支持材によって支持されることで固定されている。
【００２２】
また、このような主床部１２の傾斜床面１２ａに連続して奥行き方向の前端部には、一対をなす支持材２６，２７により支持されることで、前記傾斜床面１２ａ側の主床板２５よりも傾斜角度の大きい下り傾斜をもって、排水案内部１６，１７の案内面１６ａ，１７ａを形成する案内板２８，２９が固定して設けられている。
【００２３】
上記案内板２８を支持する支持材２６，２７のうち、前記主床部１２側の支持材２７は、案内板２８が、主床板２５側と同一高さとなるように支持する角材で形成されている。一方、奥行き方向の前端部側ａの支持材２６は、その高さが前記支持材２７よりも低くなるとともに、前記排水部１４側に向かって下り傾斜するくさび状を呈するように形成されている。
【００２４】
このような支持材２６，２７に支持させて固定することにより案内板２８による案内面１６ａは、図３に示すように、主床部１２側の側縁部分が主床部１２側の傾斜床面１２ａと同一の高さをもって形成されるとともに、バルコニーの奥行き方向の前方および前記排水部１４に向かって下り傾斜を付けた二方向からの傾斜面として形成されている。
【００２５】
前記排水部１４は、図１、図３等に示すように、排水穴１４ａを有するドレイン板材とその下部に設けられる脚材との組立体として形成されている。これらのドレイン廻りの部品も合板材によって形成されている。
【００２６】
図中１８は防水シートで、この防水シート１８は、上述した主床部１２の傾斜床面１２ａを形成する主床板２５の表面や、排水案内部１６，１７の案内面１６ａ，１７ａを形成する案内板２８の表面、さらに建築物本体側の壁部２１のバルコニー側の面、バルコニーの手すり部を構成する壁部３０の内側面にかけて全体を覆うように設けられている。そして、このように設けられた防水シート１８によって、バルコニーの床１０での防水性を確保することができる。
【００２７】
このような防水シート１８は、上述した排水孔１４ａを有する排水部１４の表面にも同様に付設され、床１０全体としての防水性が確保できるようになっている。特に、ここでは、排水孔１４ａを有する排水部１４を、主床部１２の一側縁部分を逃げて設けている。したがって、この排水部１４をバルコニーの隅に設けることにより、防水シート１８の施工にあたってこの隅部に折曲げ部分が集中し、しかもこの隅の部分が目視しくい困難な作業を必要とし、施工性の面で問題を生じる等の問題がなくなり、防水シート１８等の施工が簡単に行え、施工性が向上するという利点がある。
【００２８】
上述した防水シート１８で覆われた主床部１２および排水案内部１６，１７の上部には、たとえばＭＣボード等からなる床仕上げ材２０を所定枚数敷設することにより、全体として体裁のよいバルコニーの床１０を得ることができる。
【００２９】
ここで、上記の主床部１２では、傾斜床面１２ａ上に床仕上げ材２０を順次敷設するとよいが、この傾斜床面１２ａよりも傾斜角度が大きい排水案内面１６ａ，１７ａ部分では、図４および図５に示すように、バルコニーの奥行き方向の前端部にたとえば発泡スチロール等からなる角材を受け材２０ａとして設け、この受け材２０ａを介して床仕上げ材２０を並設するように構成されている。これは、バルコニー全体での床仕上げ材２０の配設を所定勾配とするとともに、排水案内面１６ａ，１７ａと該床仕上げ材２０との間のくさび状空間を、バルコニー全体からの排水の案内空間として利用するためである。
このようにすれば、バルコニーの床１０として見栄えのよい床構造を得ることができ、また凹溝状の排水溝を隠すことができるから、バルコニーの奥行き感も確保でき、さらにバルコニーの床部での排水性を確実に確保することができるのである。
【００３０】
以上の構成によれば、バルコニーの床１０を、きわめて簡単な作業によって形成することができ、防水性や排水性の面で優れ、また施工性、さらには施工コスト面でも優れたバルコニーの床構造を得ることができる。特に、上述した構成では、主床部１２や排水案内部１６，１７、さらに排水部１４を構成する下地材を合板材によって形成できるから、その施工作業が簡単で、しかも施工コストの低減を図ることができる。
【００３１】
なお、本発明は上述した実施の形態で説明した構造には限定されず、バルコニーの床１０を構成する各部の形状、構造等を適宜変形、変更し得ることはいうまでもない。たとえば上述した実施の形態では、排水部１４を、主床部１２の一側縁を逃げた一側縁寄りの部分に設け、その両側に排水案内部１６，１７を設けた場合を説明したが、これに限定されない。
【００３２】
また、上述した実施の形態では、排水部１４を構成する部分を、排水孔１４ａを設けた板材で構成している。したがって、この板材が、他の床面よりも高くなって水が溜まったりしないように付設状態に注意を必要とすることがある。これを解消するには、たとえば図６に示すように、排水部１４を構成する板材を細工し、板材を構成する合板の厚み分だけ低くなるように階段状の構成とすればよい。すなわち、排水部１４を形成する最上部の合板を省略し、その下に段階的に開口が大きくなるように排水部１４を形成する合板を配設すればよい。
また、上述した実施の形態では、床仕上げ材２０としてＭＣボードなどからなるものを例示したが、これに限定されず、耐水性、耐久性等に優れた材料からなる板材であればよい。
【００３３】
さらに、本発明に係るバルコニーの床構造は、上述したようなベランダやバルコニー等に限定されず、屋上、その他の類する構造を必要とする部位等に適用できることは言うまでもない。
【図面の簡単な説明】
【００３４】
【図１】本発明に係るバルコニーの床構造の一実施の形態を示し、要部とする排水溝部を構成する下地部材の組立状態を説明するための概略分解斜視図である。
【図２】本発明に係るバルコニーの床構造を示す全体の概略横断面図である。
【図３】本発明に係るバルコニーの床構造を示す全体の概略平面図である。
【図４】本発明に係るバルコニーの床構造において、排水溝部での排水溝形成構造を説明するための概略斜視図である。
【図５】本発明に係るバルコニーの床構造において、排水溝部を含めた全体の施工を説明するための概略図である。
【図６】本発明に係るバルコニーの床構造の変形例を示し、（ａ）は概略斜視図、（ｂ）は概略断面図である。
【符号の説明】
【００３５】
１０…バルコニーの床、１２…主床部、１２ａ…傾斜床面、１４…排水部、１４ａ…排水穴、１６，１７…排水案内部、１６ａ，１７ａ…案内面、１８…防水シート、２０…床仕上げ材、２０ａ…受け材、２１…壁部、２２…バルコニーベース部、２３，２４…支持材、２５…主床板、２６，２７…支持材、２８，２９…案内板、３０…壁部。
【図１】
2005290821.tif 000003
【図２】
2005290821.tif 000004
【図３】
2005290821.tif 000005
【図４】
2005290821.tif 000006
【図５】
2005290821.tif 000007
【図６】
2005290821.tif 000008